(57)【要約】【課題】手振れの恐れがなく、容易に縦と横との構図の画像を撮像する撮像装置を提供する。【解決手段】撮像装置１は、撮像指示により、撮像部１１で撮像された主たる画像と、画角を調整して撮像した画像からトリミングしてその主たる画像に対して縦又は横に構図を違えた画像と、を記憶する。さらに撮像装置１は、撮像部１１で撮像される画像の縦横比と共通する撮像範囲の画像である基準画像とに応じ、縦又は横に構図を違えた画像が入る最大画角に調整する。【選択図】図１
2006186539.tif 000002
【特許請求の範囲】
【請求項１】
撮像画像の縦横比が異なる撮像装置において、
前記撮像画像の画角の調整を行なう画角調整手段と、
一の縦横比の第１画像を取得する第１画像取得手段と、
前記一の縦横比とは異なる他の縦横比の第２画像を前記第１画像に対して画角を広く調節して取得する第２画像取得手段と、
前記取得された第１画像及び第２画像の画像データをそれぞれ記憶する記憶手段と、
を備えたことを特徴とする撮像装置。
【請求項２】
前記第１画像と前記第２画像とに共通する撮像範囲の画像である基準画像を取得する基準画像取得手段と、前記第２画像の取得時に前記撮像画像の縦横比と前記基準画像とに基づいて当該第２画像が撮像範囲に収まるか否かを判定する判定手段と、を更に備え、
前記第２画像取得手段は、前記判定手段の判定結果に応じた画角に調整して第２画像を取得することを特徴とする請求項１に記載の撮像装置。
【請求項３】
前記記憶手段は、前記第１画像の取得時における画角に応じた前記第２画像取得時の画角を予めテーブル情報として記憶し、
前記第２画像取得手段は、前記第１画像の取得時における画角と前記テーブル情報とに応じて画角を調節して第２画像を取得することを特徴とする請求項１に記載の撮像装置。
【請求項４】
前記第１画像は縦長画像若しくは横長画像のいずれか一方であり、第２画像はその他方であることを特徴とする請求項１〜３のいずれか一項に記載の撮像装置。
【請求項５】
当該撮像装置を縦又は横の何れの状態にして撮像したかを検出する検出手段を更に備え、
前記記憶手段は、前記取得された第１画像及び第２画像を前記検出手段に応じた縦又は横の撮像状態の画像データとして記憶することを特徴とする請求項１〜４のいずれか一項に記載の撮像装置。
【請求項６】
撮像画像の縦横比が異なる撮像装置のコンピュータを、
前記撮像画像の画角の調整を行なう画角調整手段と、
一の縦横比の第１画像を取得する第１画像取得手段と、
前記一の縦横比とは異なる他の縦横比の第２画像を前記第１画像に対して画角を広く調節して取得する第２画像取得手段と、
前記取得された第１画像及び第２画像の画像データをそれぞれ記憶する記憶手段と
として機能させるためのプログラム。
【請求項７】
前記第１画像と前記第２画像とに共通する撮像範囲の画像である基準画像を取得する基準画像取得手段と、前記第２画像の取得時に前記撮像画像の縦横比と前記基準画像とに基づいて当該第２画像が撮像範囲に収まるか否かを判定する判定手段と、して機能させ、
前記第２画像取得手段は、前記判定手段の判定結果に応じた画角に調整して第２画像を取得することを特徴とする請求項６に記載のプログラム。
【請求項８】
前記記憶手段は、前記第１画像の取得時における画角に応じた前記第２画像取得時の画角を予めテーブル情報として記憶し、
前記第２画像取得手段は、前記第１画像の取得時における画角と前記テーブル情報とに応じて画角を調節して第２画像を取得することを特徴とする請求項６に記載のプログラム。
【請求項９】
前記第１画像は縦長画像若しくは横長画像のいずれか一方であり、第２画像はその他方であることを特徴とする請求項６〜８のいずれか一項に記載のプログラム。
【請求項１０】
当該撮像装置を縦又は横の何れの状態にして撮像したかを検出する検出手段として機能させ、
前記記憶手段は、前記取得された第１画像及び第２画像を前記検出手段に応じた縦又は横の撮像状態の画像データとして記憶することを特徴とする請求項６〜９のいずれか一項に記載のプログラム。
【発明の詳細な説明】
【技術分野】
【０００１】
本発明は、撮像装置及びプログラムに関する。
【背景技術】
【０００２】
従来、デジタルカメラにおける撮像範囲は、デジタルカメラ内の撮像素子であるＣＣＤ(Charge  Coupled  Device）の形状や装置の設定により、横長又は縦長のいずれかである。一例として、ＮＴＳＣ（National  Television  System  Committee）方式の場合の縦横比は３：４である。このため、上記デジタルカメラの利用者は、ファインダーなどに表示される撮像範囲を確認しながら、縦又は横に構えて試行錯誤した後に、最も好適と思われる構図で撮像を行なっていた。
このように、縦又は横の構図に合わせてデジタルカメラを構え直す場合は、カメラを安定良く保持することができなくなるため、手振れなどにより撮像画像がボケてしまう恐れがあった。この問題を解決するための一例としては、正方ＣＣＤで被写体を正方形の形状に撮像し、その後、縦又は横の形状の画像を取出す技術がある（特許文献１を参照）。
【特許文献１】特開平１０−１５５１１１号公報
【発明の開示】
【発明が解決しようとする課題】
【０００３】
しかしながら、特許文献１などの従来の技術では、構え直すことなく縦又は横の構図の撮像画像を取得することが可能ではあるが、特殊な正方ＣＣＤが必要になり、更に切替操作などを行なう必要があるため、安定した保持状態を維持するには十分なものとは言えなかった。
また、撮像時において縦又は横に違えた構図の撮像画像を同時に得ることができないため、撮影者が意図した構図の画像が撮れず、一瞬のシャッターチャンスを逃すことがあり、さらなる開発が望まれていた。
【０００４】
そこで、本発明は、手振れの恐れがなく、容易に縦と横との構図の画像を撮像する撮像装置の提供を課題とするものである。
【課題を解決するための手段】
【０００５】
上記課題を解決するために、請求項１に記載の発明は、撮像画像の縦横比が異なる撮像装置において、前記撮像画像の画角の調整を行なう画角調整手段と、一の縦横比の第１画像を取得する第１画像取得手段と、前記一の縦横比とは異なる他の縦横比の第２画像を前記第１画像に対して画角を広く調節して取得する第２画像取得手段と、前記取得された第１画像及び第２画像の画像データをそれぞれ記憶する記憶手段と、を備えたことを特徴とする。
【０００６】
請求項２に記載の発明は、請求項１に記載の発明において、前記第１画像と前記第２画像とに共通する撮像範囲の画像である基準画像を取得する基準画像取得手段と、前記第２画像の取得時に前記撮像画像の縦横比と前記基準画像とに基づいて当該第２画像が撮像範囲に収まるか否かを判定する判定手段と、を更に備え、前記第２画像取得手段は、前記判定手段の判定結果に応じた画角に調整して第２画像を取得することを特徴とする。
【０００７】
請求項３に記載の発明は、請求項１に記載の発明において前記記憶手段は、前記第１画像の取得時における画角に応じた前記第２画像取得時の画角を予めテーブル情報として記憶し、前記第２画像取得手段は、前記第１画像の取得時における画角と前記テーブル情報とに応じて画角を調節して第２画像を取得することを特徴とする。
【０００８】
請求項４に記載の発明は、請求項１〜３のいずれか一項に記載の発明において、前記第１画像は縦長画像若しくは横長画像のいずれか一方であり、第２画像はその他方であることを特徴とする。
【０００９】
請求項５に記載の発明は、請求項１〜４のいずれか一項に記載の発明において、当該撮像装置を縦又は横の何れの状態にして撮像したかを検出する検出手段を更に備え、前記記憶手段は、前記取得された第１画像及び第２画像を前記検出手段に応じた縦又は横の撮像状態の画像データとして記憶することを特徴とする。
【００１０】
更に、撮像画像の縦横比が異なる撮像装置のコンピュータに対して、上述した請求項１〜５に記載の発明に示した主要な機能を実現させるためのプログラムを提供する（請求項６〜１０に記載の発明）。
【発明の効果】
【００１１】
請求項１、６に記載の発明によれば、通常の第１画像に加えて、それに対応する縦又は横に構図を違えた第２画像を画角を広く調整して取得する構成であるため、利用者が持ち直して撮影する必要がなく、撮影時における手振れを防止することができ、容易に縦と横との構図の画像を撮像することができる。
また、利用者にとって持ちやすい形態で縦又は横の画像を得ることができるとともに、両方の構図を同時に撮像することで、一瞬のシャッターチャンスを逃すことがない。
【００１２】
請求項２、７に記載の発明によれば、第２画像の取得時に画角を最大に調整する構成であるため、縦又は横に構図を違えた第２画像が画角調整に伴い劣化して取得されることを抑えることができ、より質の高い画像を取得することができる。
【００１３】
請求項３、８に記載の発明によれば、第１画像取得時の画角に対応した第２画像取得時の画角に関する情報をテーブル情報として記憶し、そのテーブル情報に基づいて第２画像取得時の画角調整を行なう構成であるため、より簡易な構成で縦及び横の構図の撮像画像を取得することができる。
【００１４】
請求項４、９に記載の発明によれば、縦長又は横長の撮像画像を容易に取得することができる。
【００１５】
請求項５、１０に記載の発明によれば、縦又は横の何れで撮像したかを検出して、画像データの格納時に記憶する構成であるため、縦及び横の構図を撮像した撮像画像の確認や鑑賞時における画像表示を正確にすることができる。
【発明を実施するための最良の形態】
【００１６】
［第１の実施の形態］
以下、図面を参照して、本発明に係る撮像装置１の実施の形態について説明する。なお、この発明はこの実施の形態に限定されるものではない。また、この発明の実施の形態は、発明の最も好ましい形態を示すものであり、この発明の用語はこれに限定されない。
【００１７】
図１は、撮像装置１の基本的な構成要素を示したブロック図である。撮像装置１は、制御部１０、撮像部１１、表示部１２、ファインダ部１３、入力部１４、メモリカードＩ／Ｆ１５、画像処理用メモリ１６、記憶部１７、傾斜センサ１８、及び外部Ｉ／Ｆ１９を備え、各部はバス２０により互いに電気的に接続されてなる。
【００１８】
制御部１０は、特に図示しないＣＰＵ（Central  Processing  Unit）、内部ＲＡＭ（Random  Access  Memory）、及びＲＯＭ（Read  Only  Memory）などを備え、ＣＰＵが前記内部ＲＡＭの所定領域を作業領域としてＲＯＭに格納されている各種制御プログラム又は各種データに従い、上記各部に制御信号を送って撮像装置１の動作全般を統括制御する。なお、上述の作業領域や各種プログラムの格納先は後述する記憶部１７であってよい。
【００１９】
具体的に制御部１０は、撮像レンズ及びミラー等のレンズ・ミラーブロック、ＣＣＤ等の撮像素子、その駆動系のほか、測距センサ、光量センサ、アナログ処理回路、信号処理回路などを備えた撮像部１１の光学ズームを調節したり、オートフォーカス時の駆動制御、シャッタ駆動制御、露出、ホワイトバランスなどを制御する。この撮像レンズ系には、ズームレンズ系が含まれており、その中の移動レンズの位置をズームイン／ズームアウトの操作に応じて可変することで画角が調整される。その際、制御部１０は、現在のズーム倍率を移動レンズの位置に応じて監視するようにしている。
【００２０】
また、制御部１０は、撮像部１１によって撮像されて信号処理された画像データを画像処理用メモリ１６に送り、一時記憶させる。そして、画像処理用メモリ１６内の画像データは制御部１０の指示により表示部１２又はファインダ部１３に送られて表示される。また制御部１０は、入力部１４に設けられている特に図示しないシャッターボタンの操作に応じて画像処理用メモリ１６内の画像データを、圧縮符号化した後にメモリカードＩ／Ｆ１５に送り、特に図示しないメモリーカードにファイル形式で記録保存する。なお、画像処理用メモリ１６内の画像データは、後述する記憶部１７内のデータ領域に保存される構成であっても良い。
【００２１】
また、制御部１０は、画像処理用メモリ１６内の画像データに対して所定の画像処理を行なう。ここで行なわれる画像処理は、拡大／縮小処理、回転処理、トリミング処理、画像自体又は所定の矩形範囲の短辺／長辺の長さを計測する処理、２つの画像を比較して一致する部分を抽出する処理などがある。なお、画像処理は、複数の処理を重ねて行なって良く、例えば、撮像された画像データに対してトリミングと拡大／縮小処理を施し、一般に電子ズームとして知られる光学ズームと同様な画角調整を行なう処理などでもよい。
【００２２】
表示部１２は、例えば、ＬＣＤ（Liquid  Crystal  Display)などによって構成され、撮像時の確認画面、画像再生画面、入力操作画面、メッセージ画面として使用されるもので、その解像度を撮像部１１内の撮像素子の解像度と略同様とした高精細ディスプレイである。
【００２３】
ファインダ部１３は、撮像方向からの光が入射される対物レンズ、制御部１０からの入力される指示に従ってフレーム、視野枠、又は各種データの表示を行なうファインダ用ＬＣＤ、入射される光束を利用者の眼に導く接眼レンズ、及び対物レンズとファインダ用ＬＣＤからの光を導光して接眼レンズへ導くプリズムなどにより構成される。利用者は、ファインダ部１３からの画像を確認することで、撮像範囲（構図）、絞り、シャッタースピードなどの撮像に関する情報を容易に知ることができる。なお、表示部１２において撮像した画像に視野枠や各種データを加えて表示し、ファインダ部１３に関する機能を実現する構成であっても良い。
【００２４】
入力部１４は、各種データ及びコマンドを入力するもので、電源ボタン、「半押し」又は「全押し」の２段階ストロークで押下操作が可能なシャッターボタンのほか、通常の撮影モード、縦横同時撮影モードなどを切り換えるモード切替ボタン、他の各種設定を行なうための選択ボタンなどが設けられている。
【００２５】
メモリカードＩ／Ｆ１５は、特に図示しないメモリーカードが着脱自在に装着されるインターフェイスであり、画像データなどをメモリーカードに転送する。メモリーカードは、着脱自在で不揮発性の記録メディアであり、例えば、スマートメディア、ＩＣカードなどによって構成される。
【００２６】
画像処理用メモリ１６、記憶部１７は、電気的に消去及び書き換えが可能な不揮発メモリであるＥＥＰＲＯＭ（Electrically  Erasable  and  Programmable  ROM）やフラッシュメモリなどにより構成される。画像処理用メモリ１６は、後述する基準画像や各種画像処理時に一時的に画像を格納するメモリであり、揮発メモリで構成されても良い。記憶部１７は、プログラム記憶領域、データ記憶領域、及び作業領域を有する構成となっている。このプログラム領域には、後述するフローチャートに示す動作手順で本実施の形態に関する動作を実現するためのプログラムなどが格納されている。
【００２７】
傾斜センサ１８は、例えば、内部にｘ方向、ｙ方向に夫々振れる２つの振子（とくに図示しない）を備え、振子の動きにより利用者が当該撮像装置１を縦又は横のいずれに構えたかを検知し、制御部１０へ傾斜信号として送信する。
【００２８】
外部Ｉ／Ｆ１９は、外部機器としてのデータ処理装置（パーソナルコンピュータなど）が接続されるもので、有線あるいは無線通信により所定の通信プロトコルに基づいて行なわれる画像データ又は各種データの送受信を制御する。
【００２９】
ここで、撮像部１１の詳細について図２に示す。撮像部１１は、センサ部１１１、光学系駆動部１１２、駆動回路１１３、撮像素子１１４、アナログ処理回路１１５、Ａ／Ｄ回路１１６、バッファ１１７、信号処理回路１１８、圧縮伸長回路１１９、レンズ１２０、及びシャッター１２１を備え、制御部１０の指示により撮像された画像データを所定の形式に変換して画像処理用メモリ１６に出力する。
【００３０】
センサ部１１１は、特に図示しない赤外投光部及び受光部による測距回路とＣｄＳなどの光電導体による露光回路とから構成され、撮像方向にある撮像対象の距離値と露出値を制御部１０へ出力する。
【００３１】
光学系駆動部１１２は、後述するレンズ１２０、シャッター１２１をステッピングモータなどにより駆動する回路であり、上述のセンサ部１１１により得られる距離値や露出値に応じた撮像部１１の指示により、撮像素子１１４で結像する画像が撮像対象に合焦するようなレンズ１２０の移動と撮像素子１１４に入光する光量が適正となるようなシャッター１２１による露出制御とを行なう。
【００３２】
駆動回路１１３は、撮像素子１１４によって光電変換された各画素対応の電荷を画像信号として順次取出してアナログ処理回路１１５に与える。具体的には、撮像素子１１４は、ＣＣＤ又はＣＭＯＳ（Complementary  Metal  Oxide  Semiconductor）などの光センサにより構成され、当該撮像素子上に結像される画像を各画素対応の画像信号として出力する。
【００３３】
アナログ処理回路１１５は、撮像素子１１４から出力される画像のノイズを低減させるＣＤＳ（Correlated  Double  Sampleing：相関二重サンプリング）回路、信号の増幅を行なうＡＧＣ（Automatic  Gain  Control：自動利得制御）回路、入力された画像信号における色差信号の差を利用して、Ｒ・Ｇ・Ｂの各色の色差成分に分離させる色分離回路、及びそのＲ・Ｇ・Ｂの各色差成分のバランスが同等になるように調整されるホワイトバランス制御回路などにより、所定のアナログ信号処理を行ない、Ａ／Ｄ回路１１６へアナログ画像信号を出力する。
【００３４】
Ａ／Ｄ回路１１６は、アナログ処理回路１１５から出力されるアナログ画像信号をデジタル画像信号に変換し、バッファ１１７へ出力する。バッファ１１７は、Ａ／Ｄ回路１１６で変換されたデジタル画像信号を一時的に記憶し、制御部１０の指示により信号処理回路１１８又は圧縮伸長回路１１９へ順次出力する。
【００３５】
信号処理回路１１８は、特に図示しないＤＳＰ（Digital  Signal  Processor）などで構成され、入力されたデジタル画像信号に対し、輝度処理、色処理、又は所定の閾値による比較検出処理などの各種画像処理を施して出力する。
【００３６】
圧縮伸長回路１１９は、入力されるデジタル画像信号を所定の符号化方式で圧縮又は復号化して制御部１０へ出力する。なお、ここにおける圧縮／伸長は、互いに可逆的であってもよいが、不可逆的に圧縮を行なうものであっても良い。例えば、ＡＤＣＴ（Adaptive  Discrete  Cosin  Transform：適応離散コサイン変換）、エントロピー符号化方式であるハフマン符号化などの処理によるＪＰＥＧ（Joint  Photographic  Experts  Group）画像への変換などで良い。
【００３７】
レンズ１２０は、撮像対象の像を前述の撮像素子１１４上に結像（合焦）するように調節可能なレンズである。なお、画角調整手段としてのレンズ１２０は、特に図示しない複数のレンズ群により画角が可能に構成される。具体的には、被写体側から第１群に焦点調節のためのレンズ群（フォーカス）、第２群に変倍（画角調整）のためのレンズ群（バリエータ）、第３群に変倍に伴う像の補正を行なうレンズ群（コンペンセータ）、第４群に結像用にレンズ群（リレー）を備え、バリエータの位置調整による画角調整とコンペンセータの位置調整による画像のピント調整とをおコア濡。なお、画角調整を行なう場合は、制御部１０においてバリエータの位置に応じた画角（倍率）を予め測定されて記憶部１７に格納された位置と画角の参照テーブルなどを元に算出し、ファインダ部１３へ表示する構成であっても良い。
シャッター１２１は、レンズ１２０と撮像素子１１４との間に配され、複数枚のシャッター羽根などにより開口径と開閉時間（露光時間）とを制御可能に構成される。
【００３８】
次に、本実施の形態における動作を説明する。
後述する各フローチャートに記述されている各機能を実現するためのプログラムは、読み取り可能なプログラムコードの形態で記憶部１７又はメモリーカードに格納されており、制御部１０が該プログラムコードに従った動作を逐次実行する。また、制御部１０は、外部Ｉ／Ｆ１９を介して外部から伝送される上記プログラムコードに従った動作を逐次実行することもできる。すなわち、撮像装置１内に格納されるプログラムの他、外部供給されたプログラム又はデータを利用して本実施の形態特有の動作を実現することも可能である。
【００３９】
図３は、制御部１０によりシャッターボタンの全押しなどによる利用者からの撮像指示で実行される本実施の形態に係る動作処理を示すフローチャートである。制御部１０は、撮像指示が入力部１４から入力されると、撮像対象に対する光量制御／焦点合わせを行ない、第１画像取得手段としてのステップＳ１１により、撮像部１１から画像データを取得し、傾斜センサ１８からの傾斜信号を検知する（ステップＳ１２）。
【００４０】
ステップＳ１２の後、検出手段としてのステップＳ１３により、縦又は横のいずれに構えて撮像されたかが検出され、記憶手段としてのステップＳ１４、Ｓ１５により、構えた状態に応じて縦又は横の画像データとして記憶部１７に記憶される。なお、本実施の形態では、縦又は横の２つの状態を検出してその状態の画像として記憶する構成としたが、傾斜センサ１８により検出された傾斜度を対応する画像データとともに記憶部１７に記憶する構成であっても良い。
【００４１】
ステップＳ１４、Ｓ１５の後、撮像された画像データの短辺の長さｐと長辺の長さｑが算出され（ステップＳ１６）、基準画像取得手段としてのステップＳ１７により、その画像データの長辺の中心から幅±ｐ／２の範囲、つまり、通常の撮像画像と縦横比の異なる撮像画像とに共通する撮像範囲の画像データが基準画像データとして画像処理用メモリ１６に格納される。
【００４２】
ここで、画像処理用メモリ１６に格納される基準画像について、図５（ａ）、図６（ａ）に例示する。図５（ａ）は長辺方向が横方向で長さがｑ、短辺の長さがｐであり、図６（ａ）は長辺方向が縦方向である撮像部１１で撮像された画像Ｇを示す図である。図中において、画像処理用メモリ１６に格納される基準画像データは、各辺の長さがｐである画像Ｇ１であり、構図を縦又は横に違えた場合に重複する画像部分のデータである。
【００４３】
ステップＳ１７の後、撮像する画角が広げられ（ステップＳ１８）、撮像部１１で撮像された画角調整後の画像データが画像処理用メモリ１６に取り込まれ（ステップＳ１９）、上記基準画像データに対応する撮像範囲の抽出が行なわれて（ステップＳ２０）、抽出された基準画像部分の各辺の長さｍが求められる（ステップＳ２１）。
【００４４】
ここで、ステップＳ２０、Ｓ２１で行なわれる基準画像データに対応する撮像範囲の抽出と各辺の長さの測定について、図５（ｂ）、図６（ｂ）に例示する。図５（ｂ）、図６（ｂ）は、前述の図５（ａ）、図６（ａ）から画角が広げられて撮像された画像Ｇａを示す図である。画像Ｇａ内の画像Ｇ２は、図５（ａ）、図６（ａ）の基準画像である画像Ｇ１に対応する部分の画像である。
【００４５】
ステップＳ２０における画像の抽出は、画角を広げた場合の画像が広げる前の画像に比べて縮尺が小さくなるため、基準画像を順次縮小し、その縮小された基準画像と取り込まれた画像とを中心を同位置に重ね合わせて比較し、一致する範囲を抽出して行なわれる。そして、抽出される画角を広げられた場合の基準画像に対応する部分は、前述の画像Ｇ１より縮小された画像Ｇ２であり、各辺の長さはｐよりも短いｍの長さが画素数を計数して算出される。
【００４６】
ステップＳ２１の後、判定手段としてのステップＳ２２により、画像Ｇに対して縦又は横に構図を違えた画像（図５（ｂ）、図６（ｂ）中の画像Ｇ３）が画像Ｇａに最大で収まるように、短辺の長さがｍ、長辺の長さが丁度ｐである画像が、画角調整に対して縦横比が不変であることを元に、ｍ：ｐ＝ｐ：ｑの条件を満たすように、ｍの値がｐ×ｐ／ｑに一致するか否かを元に判定される。
そして、ステップＳ２２において、ｍのほうが大きいと判定された場合はさらに画角を広げるようにステップＳ１８からの処理に戻され、ｍの方が小さいと判定された場合は画角を狭められ（ステップＳ２３）、ステップＳ１９からの処理に戻される。
【００４７】
ステップＳ２２の判定で丁度画像Ｇａに構図を違えた画像である画像Ｇ３が収まるように調整が行なわれた後、基準画像部分画像Ｇ２の画像領域に対する露出制御／焦点合わせが行なわれて（ステップＳ２４）、画像（画像Ｇａ）が再度取り込まれる（ステップＳ２５）。なお、ステップＳ２４における露出制御／焦点合わせは、画像Ｇ３の領域に対して行なわれる構成であって良く、特に限定しない。
【００４８】
ステップＳ２５の後、第２画像取得手段としてのステップＳ２６により、再度取り込まれた画像の中心から短辺が±ｍ／２で、長辺がｐの画像（画像Ｇ３）が切り出され、その切り出された画像のサイズが長辺ｑ、短辺ｐに拡大され（ステップＳ２７）、記憶手段への記憶制御としてのステップＳ２９、Ｓ３０により、横に構えた状態である場合は縦画像として、縦に構えた状態である場合は横画像として、ステップＳ１４、Ｓ１５に記憶された画像と対応付けされた状態で記憶部１７に記憶されて、終了する。
【００４９】
なお、各画像が対応付けされて記憶部１７に記憶される状態とは、同一の番号を付されたファイル名の一部に縦又は横の状態を示す識別符号を付して記憶された状態や、Ｅｘｉｆ（Exchangeable Image File Format）などの画像データ内に付加情報として対応関係が記憶された状態をいう。
【００５０】
このように、撮像装置１は、利用者からの撮像指示により、先ず構えた状態の画像を撮像し、その画像に対して縦又は横に構図を違えた画像を画角を調整して撮像する。これにより、撮像装置１は、構え直すことがないために手振れの心配がなく、撮像指示時の縦、横の構図の画像を容易に得ることができる。
【００５１】
また、撮像装置１は、利用者にとって持ちやすい形態や、ストロボなどの位置関係などによる撮像装置にとって最も適した撮像形態で、縦又は横の画像を同時に取得することができる。
【００５２】
また、撮像装置１は、構えた状態の撮像画像に対して構図を違えた画像を画角を最大に調整して取得する構成であるため、撮像される画像が画角調整に伴い劣化することを抑えることができる。  
【００５３】
また、撮像装置１は、撮像された縦又は横の構図の画像を互いに対応付けして格納する構成であるため、撮像画像の確認や鑑賞時において、対応する画像を容易に検索することができる。
【００５４】
［変形例１］
次に、変形例１として、縦横同時撮影モードか否か、又は縦位置に構えたか横位置に構えたかにより処理が異なる場合について、図３、４を参照して説明する。
図４は、制御部１０により実行される、モード又は傾斜センサ１８で検出される縦位置／横位置により異なる処理を行なうことを示すフローチャートである。
【００５５】
先ず、制御部１０は、縦横同時撮影モードであるか否かを判定する（ステップＳ４１）。そのモードでない場合は、通常の撮影処理（ステップＳ４２）として、前述のステップＳ１１〜Ｓ１５に示された各処理が行なわれ、撮像された縦又は横画像が記憶部１７に格納されて、終了する。
【００５６】
ステップＳ４１において、縦横同時撮影モードであると判定された場合は、撮像装置１の設置が縦位置であるか横位置であるかが判定される（ステップＳ４３）。横位置である場合は、前述のステップＳ１１〜Ｓ３０において、ステップＳ１２〜Ｓ１６がステップＳ１２、Ｓ１４、Ｓ１６と続く処理と、ステップＳ２７〜Ｓ２９がステップＳ２７、Ｓ２９と続く処理とが行なわれ、横画像を主体に縦画像も記憶されて（ステップＳ４４）、終了する。
また同様に、縦位置である場合は、ステップＳ１２、Ｓ１５、Ｓ１６と続く処理と、ステップＳ２７、Ｓ３０と続く処理とが行なわれ、縦画像を主体に横画像も記憶されて（ステップＳ４５）、終了する。
【００５７】
上述の変形例１のように、撮像装置１は、横位置を主体の撮像処理と縦位置を主体の撮像処理とを分ける構成であっても良く、また、通常撮影時における縦又は横の撮影位置に応じて画像を格納する構成であっても良い。
【００５８】
［変形例２］
次に、変形例２として、撮像装置１は、ステップＳ１１で主体として取り込まれる画像（第１画像）の画角に対応した画角と切り出す範囲を予めＬＵＴ（ルックアップテーブル）として記憶部１７に格納し、その値を参照して画角調整を行なって、ステップＳ２４以下の処理により第２画像を取得し、縦又は横の画像を撮像する構成であっても良い。
【００５９】
上述の変形例２のような構成の場合は、ステップＳ１６〜Ｓ２３までの基準画像を認識して画角調整する処理を行なう必要がなく、より簡易な構成で本発明を実現することができる。
【図面の簡単な説明】
【００６０】
【図１】本発明である撮像装置１の機能的構成を模式的に示した図である。
【図２】撮像部１１の内部構成を模式的に示した図である。
【図３】本発明に係る撮像装置１の撮像動作を示したフローチャートである。
【図４】撮像装置１の撮像動作の変形例を示したフローチャートである。
【図５】（ａ）は、撮像部１１により撮像される画像Ｇを例示する図であり、（ｂ）は、画角調整後の画像Ｇａを例示する図である。
【図６】（ａ）は、撮像部１１により撮像される画像Ｇを例示する図であり、（ｂ）は、画角調整後の画像Ｇａを例示する図である。
【符号の説明】
【００６１】
１  撮像装置
１０  制御部
１１  撮像部
１２  表示部
１３  ファインダ部
１４  入力部
１５  メモリカードＩ／Ｆ
１６  画像処理用メモリ
１７  記憶部
１８  傾斜センサ
１９  外部Ｉ／Ｆ
２０  バス
１１１  センサ部
１１２  光学系駆動部
１１３  駆動回路
１１４  撮像素子
１１５  アナログ処理回路
１１６  Ａ／Ｄ回路
１１７  バッファ
１１８  信号処理回路
１１９  圧縮伸長回路
１２０  レンズ
１２１  シャッター
Ｇ、Ｇａ、Ｇ１、Ｇ２、Ｇ３  画像
【図１】
2006186539.tif 000003
【図２】
2006186539.tif 000004
【図３】
2006186539.tif 000005
【図４】
2006186539.tif 000006
【図５】
2006186539.tif 000007
【図６】
2006186539.tif 000008